(57)【要約】【課題】構成が簡単で部品点数が少なく小型化に適し、かつ、組み立て作業が容易なレンズ駆動装置およびカメラ付き携帯機器を提供すること。【解決手段】レンズ１２を有する移動レンズ体１０と、移動レンズ体１０をレンズ１２の光軸Ｆ方向に沿って移動させる駆動機構と、移動レンズ体１０および駆動機構を支持する支持体５０とを有するレンズ駆動装置１は、駆動機構として移動レンズ体１０側に配置される一方の駆動部材（駆動マグネット１９）と、この一方の駆動部材と関係して移動レンズ体を光軸Ｆ方向に沿って移動させる他方の駆動部材（第１、第２駆動コイル２２，２３）とを有し、他方の駆動部材を位置決めする位置決め部材４０を設け、位置決め部材４０と支持体５０との間に挟持させることによってこの他方の駆動部材を支持体５０に支持させている。また、このカメラ付き携帯機器は、レンズ駆動装置１と、レンズ駆動装置１によって得られた画像を表示する表示手段とを有する。【選択図】図１
2005128362.tif 000002
【特許請求の範囲】
【請求項１】
レンズを有する移動レンズ体と、上記移動レンズ体を上記レンズの光軸方向に沿って移動させる駆動機構と、上記移動レンズ体および上記駆動機構を収納するケース体とを有するレンズ駆動装置において、
上記駆動機構として上記移動レンズ体側に配置される一方の駆動部材と、上記一方の駆動部材と関係して上記移動レンズ体を上記光軸方向に沿って移動させる他方の駆動部材とを有し、上記他方の駆動部材を位置決めする位置決め部材を設け、上記位置決め部材と上記支持体との間に挟持させることによって上記他方の駆動部材を上記支持体に支持させたことを特徴とするレンズ駆動装置。
【請求項２】
前記一方の駆動部材をマグネットとし、前記他方の駆動部材をコイルとし、上記コイルと一体の磁性体を前記位置決め部材と前記支持体とによって挟持して上記コイルを前記支持体に支持させたことを特徴とする請求項１記載のレンズ駆動装置。
【請求項３】
前記他方の駆動部材をコイルとし、前記位置決め部材は、上記コイルの外周に沿って前記光軸周りに筒状に形成し、上記コイルからの配線を前記位置決め部材の外周に沿って配設したことを特徴とする請求項１記載のレンズ駆動装置。
【請求項４】
前記磁性体は、リング形状をしていると共に、前記光軸を中心とした径方向に突出した複数の突出部を有し、上記突出部の外周が前記支持体に当接して前記コイルを調芯していることを特徴とする請求項２記載のレンズ駆動装置。
【請求項５】
前記位置決め部材は、筒形状を有していると共に、前記コイルの本体の外周を囲むように前記コイルの周りに配置され、
前記位置決め部材と前記支持体とで前記突出部を挟持することによって前記コイルを前記支持体に支持させ、
前記突出部の間の前記磁性体の外壁と、前記位置決め部材の内壁との間に、前記径方向の隙間を形成し、
前記コイルの一部は、上記隙間を通過して前記位置決め部材の外側に延伸していることを特徴とする請求項４記載のレンズ駆動装置。
【請求項６】
レンズを有する移動レンズ体と、
上記移動レンズ体の周囲に保持されたマグネットと、
上記マグネットを挟むように上記レンズの光軸方向に対向配置された２つのコイルと、
外周に複数の突出部を有し、上記コイルを上記マグネットに対向させるように保持する２つの磁性体と、
上記移動レンズ体と上記マグネットと上記コイルとを囲むと共に、上記複数の突出部に当接して上記磁性体の位置決めをする位置決め部材と、
上記移動レンズ体と上記マグネットと上記コイルと上記磁性体と上記位置決め部材とを収納する支持体と、
を有することを特徴とするレンズ駆動装置。
【請求項７】
請求項１から６のいずれか１項記載のレンズ駆動装置と、このレンズ駆動装置によって得られた画像を表示する表示手段とを有することを特徴とするカメラ付き携帯機器。
【発明の詳細な説明】
【技術分野】
【０００１】
本発明は、カメラ付き携帯電話のカメラなどに用いられるレンズ駆動装置およびカメラ付き携帯機器に関する。
【背景技術】
【０００２】
カメラ付き携帯電話では、片手で携帯電話を持って自己の顔やその他の近接位置となる被写体を撮影する場合が多い。このため、カメラ付き携帯電話に用いられる撮影レンズ系は、接写撮影機能を有しているものが多い。このような接写撮影機能を有する撮影レンズ系の場合、通常の撮影を行うときのレンズ位置と接写撮影すなわちマクロ撮影を行うときのレンズ位置が異なるものとなる。接写撮影時のレンズ位置は、通常撮影時のレンズ位置よりも僅かに一定の距離だけ被写体側に近づけた位置になる。
【０００３】
このため、接写撮影機能を有する撮影レンズ系では、レンズ位置を通常撮影の位置とマクロ撮影の位置との間で移動させるための駆動機構を備え、スイッチの切り換えによって駆動機構を駆動し、これら２つの撮影位置の間をレンズが移動するようになっている。
【０００４】
このような２つの撮影位置の間をレンズが移動するレンズ駆動装置の例として、レンズを取り付けたケースを光軸の周りに回転させながらケースを光軸方向に移動させるように構成したものが提案されている（たとえば、特許文献１参照）。
【０００５】
さらに別の例として、コイルが巻かれた可動部を軸に揺動自在に取り付け、その可動部を、軸方向両側からマグネットとヨークで挟むように対向させて配置し、コイルとマグネットとの間に生じ、かつ対向面に平行な方向に生じる電磁的推力によって、可動部を上述の軸中心に揺動させ、この揺動をカム機構によってレンズ系の直線移動に変換するように構成したカメラ用電磁アクチュエータが提案されている（たとえば、特許文献２参照）。
【０００６】
【特許文献１】特開平４−２２２４４４号公報（要約）
【特許文献２】特開２００１−９１９８１号公報（要約）
【発明の開示】
【発明が解決しようとする課題】
【０００７】
特許文献１に記載されているものは、ケースを光軸の周りに回転させながらケースを回転軸線方向すなわち光軸方向に移動させる形式のレンズ駆動装置であるため、回転力を直線移動に変換するための機構が複雑になり、かつ、部品点数が多くなり、携帯電話などの携帯機器に搭載するには適していないという問題点がある。
【０００８】
また、特許文献２に記載されているカメラ用電磁アクチュエータは、可動部を電磁力によって揺動させる機構と、この揺動を直線移動に変換するカム機構を備える必要があるため、構成が複雑で部品点数が多くなると共に、これらの機構がレンズ系の外方に広がり、小型化しづらく、携帯電話などの携帯機器に搭載するには適していないという問題点がある。
【０００９】
本発明は、以上のような従来技術の問題点を解消するためになされたもので、構成が簡単で部品点数が少なく小型化に適し、かつ、組み立て作業が容易なレンズ駆動装置およびカメラ付き携帯機器を提供することを目的とする。
【課題を解決するための手段】
【００１０】
上述の目的を達成するため、本発明は、レンズを有する移動レンズ体と、移動レンズ体をレンズの光軸方向に沿って移動させる駆動機構と、移動レンズ体および駆動機構を支持する支持体とを有するレンズ駆動装置において、駆動機構として移動レンズ体側に配置される一方の駆動部材と、一方の駆動部材と関係して移動レンズ体を光軸方向に沿って移動させる他方の駆動部材とを有し、他方の駆動部材を位置決めする位置決め部材を設け、位置決め部材と支持体との間に挟持させることによって他方の駆動部材を支持体に支持させたレンズ駆動装置である。
【００１１】
この発明では、レンズ駆動装置の構成が簡単となり、部品点数を少なくでき、小型化に適したものとなる。また、接着剤により駆動部材を固定しなくてすむため、組み立てが容易である。特に、小型化されたレンズ駆動装置の組み立てに適している。しかも、位置決め部材により前記他方の駆動部材が位置決めされているため、レンズ駆動装置の組み立て作業が容易になると共に、移動レンズ体の移動を繰り返しても前記他方の駆動部材の位置ずれを抑えることができる。
【００１２】
一方の駆動部材をマグネットとし、他方の駆動部材をコイルとし、コイルと一体の磁性体を位置決め部材と支持体とによって挟持してコイルを支持体に支持させる構成を採用することができる。この構成によって、電磁機構により移動レンズ体を駆動させることができるため、レンズ駆動装置の構成が簡単となり、より小型化に適したものとなる。また、直接コイルを位置決め部材と支持体とによって挟持するのではなく、コイルと一体の磁性体を位置決め部材と支持体とによって挟持するため、コイルの本体部分が変形するのを防ぐことができる。
【００１３】
また、他方の駆動部材をコイルとし、位置決め部材は、コイルの外周に沿って光軸周りに筒状に形成し、コイルからの配線を位置決め部材の外周に沿って配設する構成を採用することができる。この構成によって、コイルからの主な配線部分を、位置決め部材によって移動レンズ体から分離できるため、配線部分が移動レンズ体に干渉しない。したがって、配線部分と移動レンズ体とが絡み合ったり、配線部分が移動レンズ体に干渉して断線することがない。
【００１４】
磁性体は、リング形状をしていると共に、光軸を中心とした径方向に突出した複数の突出部を有し、突出部の外周が支持体に当接してコイルを調芯している構成を採用することができる。この構成によって、磁性体の突出部の外周を支持体に当接するという簡易な手法で、コイルの中心と光軸とを略一致させることができる。
【００１５】
位置決め部材は、筒形状を有していると共に、コイルの本体の外周を囲むようにコイルの周りに配置され、位置決め部材と支持体とで突出部を挟持することによってコイルを支持体に支持させ、突出部の間の磁性体の外壁と、位置決め部材の内壁との間に、径方向の隙間を形成し、コイルの一部は、この隙間を通過して位置決め部材の外側に延伸している構成を採用することができる。この構成によれば、コイルの一部が、突出部の間の磁性体の外壁と、位置決め部材の内壁との間の径方向の隙間を通過しているので、コイルの本体とこのコイルの一部とが断線することを防止できる。また、突出部の大きさを調整することによって、この隙間を広範囲にわたって形成できるため、このコイルの一部を通過させる位置の自由度を増すことができる。
【００１６】
上述の目的を達成するための他の発明は、レンズを有する移動レンズ体と、移動レンズ体の周囲に保持されたマグネットと、マグネットを挟むようにレンズの光軸方向に対向配置された２つのコイルと、外周に複数の突出部を有し、コイルをマグネットに対向させるように保持する２つの磁性体と、移動レンズ体とマグネットとコイルとを囲むと共に、複数の突出部に当接して磁性体の位置決めをする位置決め部材と、移動レンズ体とマグネットとコイルと磁性体と位置決め部材とを収納する支持体と、を有するレンズ駆動装置である。
【００１７】
この発明では、レンズ駆動装置の構成が簡単となり、部品点数を少なくでき、小型化に適したものとなる。しかも、移動レンズ体を光軸方向に移動させる各部品の配置位置の精度を高くすると共に、組み立て作業が容易になる。
【００１８】
上述の目的を達成するための他の発明は、上記のレンズ駆動装置と、このレンズ駆動装置によって得られた画像を表示する表示手段とを有するカメラ付き携帯機器である。この発明では、レンズ駆動装置部分の構成が簡単となり、部品点数を少なくできるため、小型のカメラ付き携帯機器が容易に得られる。
【発明の効果】
【００１９】
本発明によれば、構成が簡単で部品点数が少なく小型化に適し、かつ、組み立て作業が容易なレンズ駆動装置およびカメラ付き携帯機器を提供することができる。
【発明を実施するための最良の形態】
【００２０】
以下、図面を参照しながら本発明に係るレンズ駆動装置の実施の形態について説明する。各実施の形態に係るレンズ駆動装置は、カメラ付き携帯電話等の携帯機器のカメラ部分として搭載するのに適した構成となっているが、ＰＤＡ（Personal Degital Assistance)等の他の携帯機器に搭載してもよい。また、本発明に係るカメラ付き携帯機器については、レンズ駆動装置と併せて説明する。
【００２１】
図１は、本発明の第１の実施の形態に係るレンズ駆動装置１の断面図である。このレンズ駆動装置１は、主に、移動レンズ体１０と、移動レンズ体１０をレンズ１２の光軸Ｆ方向に沿って移動させる駆動機構（駆動マグネット１９、第１駆動コイル２２、第２駆動コイル２３）と、駆動機構の一部を位置決めする位置決め部材４０と、これらを収納するケース体でもある駆動機構を支持する支持体５０とから構成されている。
【００２２】
移動レンズ体１０は、レンズ１２と、レンズ１２を保持する第１レンズ保持部材１４および第２レンズ保持部材１５からなるレンズホルダ１６と、スペーサとしての中間部材１７とから構成されている。
【００２３】
レンズ１２は、カメラの撮影レンズで、複数枚のレンズ部材が組み合わせられることによって構成されている。図１の上側（レンズ駆動装置１の前側）が被写体側レンズ部材１２ａで、下側（レンズ駆動装置１の後側）がカメラボディ側レンズ部材１２ｂである。なお、本実施の形態に係るレンズ駆動装置１では、移動レンズ体１０が、レンズ１２とレンズホルダ１６（第１レンズ保持部材１４、第２レンズ保持部材１５）と中間部材１７という複数の部材から構成されているが、これらが同一部材で一体に構成されていても良い。
【００２４】
被写体側レンズ部材１２ａは、中央にレンズ機能を持つ円形のレンズ部を有し、外周にレンズ部を保持して支えるためのホルダ部を有している。ホルダ部は後述する中間部材１７に当接している。カメラボディ側レンズ部材１２ｂは、中央にレンズ機能を持つレンズ部を有し、外周にレンズ部を保持して支えるためのホルダ部を有している。カメラボディ側レンズ部材１２ｂのホルダ部も中間部材１７に当接している。
【００２５】
被写体側レンズ部材１２ａおよびカメラボディ側レンズ部材１２ｂのレンズ部は、樹脂製の非球面レンズとされており、ホルダ部とレンズ部は樹脂で一体成型されて形成されている。
【００２６】
レンズホルダ１６が、第１レンズ保持部材１４と第２レンズ保持部材１５とから構成され、また、中間部材１７が存在することによって、レンズ１２の取り付け作業を簡易にしている。第１レンズ保持部材１４は底部に孔が設けられた有底筒形状をしており、レンズ１０がその筒部内に嵌め込まれている。第２レンズ保持部材１５は、第１レンズ保持部材１４に組み込まれたレンズ１２を後側から押さえつけて支持している。
【００２７】
第２レンズ保持部材１５は、第１レンズ保持部材１４の後方の開口端部に嵌められている。第２レンズ保持部材１５の内周側の先端は、カメラボディ側レンズ部材１２ｂのホルダ部に当接し、レンズ１２がレンズホルダ１６内の所定位置からずれないようにしている。移動レンズ体１０が最も後側に移動した位置（以下、通常撮影位置という。）は、支持体５０を構成している第１ケース分割体６０の内側張出部６１に突き当たる位置となる。
【００２８】
中間部材１７は、中央に孔１７ａを有する円板状部材とされている。この中間部材１７によって被写体側レンズ部材１２ａとカメラ側レンズ部材１２ｂの間隔を一定に保持している。
【００２９】
第１レンズ保持部材１４の外周は、前側が大径に、後側が小径になっており、その境界には段部が形成されている。後側の小径部の周囲であって、前側の大径部と第２レンズ保持部材１５との間の位置には、リング状に形成された駆動マグネット１９が嵌められている。この段部に当接された状態では、駆動マグネット１９は、第２レンズ保持部材１５との間にわずかな隙間を有している。なお、第１レンズ保持部材１４の後端面と、この後端面と光軸Ｆ方向に対向している第２レンズ保持部材１５の面との間には隙間が形成されている。これは、レンズ１２に第２レンズ保持部材１５が確実に当接するようにするためである。
【００３０】
第１レンズ保持部材１４の前面には、移動レンズ体１０が最も前方に進出した位置（以下、マクロ撮影位置という。）で、移動レンズ体１０の位置決めをするための突起部２０が形成されている。突起部２０は、第１レンズ保持部材１４の前面に円周形状に設けられている。なお、突起部２０は、第１レンズ保持部材１４の前面には設けず平らな面とし、第２ケース分割体７０の底部７１の後側面７１ａの方に設けても良い。
【００３１】
また、第１レンズ保持部材１４の前面には、被写体からの反射光をレンズ１０に取り込む円形の入射窓２１が形成されている。入射窓２１の前方には、図示されないレンズ保持用の開閉自在のバリヤが設けられている。
【００３２】
移動レンズ体１０をレンズ１２の光軸Ｆ方向に沿って移動させる駆動機構は、少なくとも、一方の駆動部材と、この一方の駆動部材と関係して移動レンズ体１０を光軸Ｆ方向に沿って移動させる他方の駆動部材とからなる。本実施の形態に係るレンズ駆動装置１では、一方の駆動部材が駆動マグネット１９から構成され、他方の駆動部材が第１駆動コイル２２および第２駆動コイル２３から構成されている。
【００３３】
第１、第２駆動コイル２２，２３は、図２に示すように、１本の導線を互いに逆向きに巻くことによって、それぞれリング状に形成されている。第１、第２駆動コイル２２，２３の本体から引き出されている一方の導線同士は連結線２４として互いにつながっており、他方の導線、すなわち、第１駆動コイル２２の巻線端末２５および第２駆動コイル２３の巻線端末２６は、レンズ駆動装置１の外部にある図示されない電源にそれぞれ接続されている。第１、第２駆動コイル２２，２３の形成方法の詳細および巻線端末２５，２６の第１、第２駆動コイル２２，２３の本体から電源までの配置についは後述する。
【００３４】
第１、第２駆動コイル２２，２３は、被写体側から見た巻回方向が互いに同じになるように、駆動マグネット１９を挟んで光軸Ｆ方向に対向配置されている。第１、第２駆動コイル２２，２３に通電することによって、駆動マグネット１９との間で電磁力が発生し、移動レンズ体１０が光軸Ｆ方向に移動する。この移動の仕組みについては後述する。
【００３５】
駆動マグネット１９は、リング状となっており、図３に示すように中央の孔を囲む部分がＮ極に着磁され、全体の外周部分がＳ極にそれぞれ単極着磁されている。なお、この着磁関係は、ＮＳが逆となるようにしても良い。
【００３６】
図１に示すように、第１駆動コイル２２の後側には、リング状の第１磁性体３２が配置されている。また、第２駆動コイル２３の前側には、リング状の第２磁性体３３が配置されている。したがって、駆動マグネット１９を挟んで光軸Ｆ方向に並んだ第１駆動コイル２２と第２駆動コイル２３の光軸Ｆ方向の外側にそれぞれ第１磁性体３２と第２磁性体３３が配置されている。
【００３７】
第１駆動コイル２２は、第１駆動コイル２２と第１磁性体３２との中心がほぼ一致するように、第１磁性体３２に固着されている。同様に、第２駆動コイル２６は、第２駆動コイル２６と第２磁性体３３との中心がほぼ一致するように、第２磁性体３３に固着されている。
【００３８】
次に、第１、第２磁性体３２，３３の形状について図４および図５を参照しながら説明する。なお、第１、第２磁性体３２，３３の形状は、基本的に同一であるため、主に第１磁性体３２について説明する。
【００３９】
図４に示すように、第１磁性体３２の第１駆動コイル２２との固着面には、凸部３２ａと凹部３２ｂを有する凹凸形状が設けられている。図１には示されていないが、図５の第１駆動コイル２２と第１磁性体３２との固着部付近の断面図に示すように、この凹凸形状の凹部３２ｂの少なくとも一部には接着剤３０が充填されており、この接着剤３０によって第１駆動コイル２２が第１磁性体３２に固着されている。
【００４０】
この構成によって、第１駆動コイル２２と第１磁性体３２とは凹凸形状の凸部３２ａで接触するので、平面全体で接触する場合と比べて接触面積が少なくなる。したがって、第１駆動コイル２２の導線の絶縁被膜に孔が開いていたり、絶縁被膜の一部が剥離している場合でも、第１駆動コイル２２の導線と第１磁性体３２とが短絡する確率を減少させることができる。また、凹凸形状の凹部３２ｂは接着剤の充填部として使用でき、第１駆動コイル２２と第１磁性体３２とを確実に固着することができる。なお、第１駆動コイル２２の導線の絶縁被膜に孔が開いていたり、絶縁被膜の一部が剥離している可能性と、第１磁性体３２の表面を凹凸加工するコストや困難性とを比較考量して、第１磁性体３２の表面を平坦にしても良い。
【００４１】
第１磁性体３２の外周部には、図４に示すように、光軸Ｆを中心とした径方向に突出した複数の突出部３４が設けられている。後述するように、この突出部３４が、位置決め部材４０で抑えられて、第１磁性体３２、すなわち第１磁性体３２に固着されている第１駆動コイル２２が位置決めされる。
【００４２】
突出部３４の外周が第１ケース分割体６０の内壁に当接されることによって第１駆動コイル２２の中心と光軸Ｆとが略一致するように、第１ケース分割体６０が加工されている。この構成によって、レンズ駆動装置１の組み立て時に、第１駆動コイル２２の中心と光軸Ｆとの位置合わせを容易に行うことができる。
【００４３】
複数の隣接する突出部３４の間の１つには、リング形状を横断するスリット３５が形成されている。第１駆動コイル２２の本体から引き出され第２駆動コイル２３につながっている連結線２４は、このスリット３５を通過している。すなわち、第１駆動コイル２２の内周端末は、第１駆動コイル２２の内周の底部に存在する第１磁性体３２の一方のスリット端３５ａから他方のスリット端３５ｂに向かい、連結線２４となり、第２駆動コイル２３の本体につながる。第２駆動コイル２３の巻線端末２６も同様にスリット３５を通過することとなる。
【００４４】
連結線２４や巻線端末２６がスリット３５を通過しているため、スリット３５がない場合と比べて、コイル導線の直径の２倍分だけレンズ駆動装置１の前後方向（厚さ方向）の小型化が可能になる。なお、第１磁性体３２と同様に、第２磁性体３３にも突出部３４およびスリット３５が形成されている。
【００４５】
次に、位置決め部材４０について図６から図８を参照しながら詳しく説明する。
【００４６】
位置決め部材４０は筒形状をしており、第１、第２駆動コイル２２，２３の本体を囲むように配置されていると共に、第１、第２駆動コイル２２，２３の光軸Ｆ方向の位置決めをしている。本実施の形態では、位置決め部材４０は、樹脂シート材を図６の平面展開図に示すような形状にプレス成型して、これを筒状に丸めて作成している。シート材のプレス成型品を用いることによって、低コストかつ高精度で第１、第２駆動コイル２２，２３を位置決めできる。なお、位置決め部材４０の材質は樹脂に限らず、金属板、ゴムシート、紙等でも良い。
【００４７】
図６に示すように、位置決め部材４０は、光軸Ｆ方向の両端に等脚台形状の後側の張出部４２と前側の張出部４４とを有する。後側の張出部４２は、後方に行けば行くほど幅が狭くなる、いわゆるテーパ状になっている。前側の張出部４４も同様に、前方に行けば行くほど幅が狭くなっている。張出部４２，４４をテーパ形状にしたため、位置決め部材４０を平面の状態から筒状に丸めて支持体５０に収納したときに、筒の側面形状が多角形になりにくく円形になりやすい。
【００４８】
本実施の形態では、張出部４２と張出部４４の位置は円周方向で同じ位置に配置されているが、これらは円周方向で異なる位置に配置しても良い。また、シート材の両端には張出部４２，４４の半分を形成する分割張出部４２ａ，４４ａが形成され、丸めたときに１つの張出部４２，４４を形成するように構成されている。また、張出部４２，４４はそれぞれ４つ形成されているが、３つや５つ等の他の個数であっても良い。
【００４９】
位置決め部材４０には、スリット４６，４８を設けるようにしても良い。スリット４６は、後述するように、第１駆動コイル２２の本体から引き出された巻線端末２５が、位置決め部材４０の内側から外側に通過するためのものである。スリット４６を設けると、巻線端末２５は、第１駆動コイル２２の本体の外周と位置決め部材４０の内壁との間を通過しなくてすむ。スリット４６を設けない場合、巻線端末２５は第１駆動コイル２２の外周に沿って位置決め部材４０の内壁との間を通過した後、位置決め部材４０と第１磁性体３２との隙間を通って位置決め部材４０の外に導き出されることとなる。
【００５０】
スリット４８を設けた場合、スリット４８は、後述するように、第１、第２駆動コイル２２，２３の本体同士をつないでいる連結線２４が、第２駆動コイル２３付近で位置決め部材４０の外側から内側に通過するためのものとなる。このスリット４８があると、連結線２４は、第２駆動コイル２６の本体の外周と位置決め部材４０との間を通過しなくてすむ。
【００５１】
レンズ駆動装置１の支持体５０の内部では、図７および図８に示すように、隣接する張出部４２の間および張出部４４の間に、第１磁性体３２および第２磁性体３３の突出部３４がそれぞれ配置されている。なお、突出部３４の数が、隣接している張出部４２，４４の間の数より少ない場合には、隣接している張出部４２，４４の間であっても、突出部３４が存在しない箇所がある。
【００５２】
図１に示すように、第１磁性体３２は、支持体５０（詳しくは第１ケース分割体６０）と、位置決め部材４０によって挟持されている。すなわち、第１磁性体３２の突出部３４の前面側は、位置決め部材４０の隣接する張出部４２の間に入り、位置決め部材４０の端面に当接し、第１磁性体３２の後面側は、第１ケース分割体６０の内側張出部６１の高段部６１ｂの上面６１ｄに当接し支持されている。第２磁性体３３も第１磁性体３２と同様に、突出部３４は、位置決め部材４０の隣接する張出部４４の間の端面と、第２ケース分割体７０の底部７１とで挟持されている。
【００５３】
このように、位置決め部材４０を用いることによって、支持体５０との間で接着剤を使わずに第１、第２磁性体３２，３３および第１、第２駆動コイル２２，２３を位置決めすることができる。支持体５０との間で接着剤を使わないので、レンズ駆動装置１の組み立て時に発生する問題点、すなわち、部品の位置ずれ、接着剤の乾燥時間待機、接着剤の過剰な塗布による接着剤の他の部品（特にレンズ１２）への付着等が解消される。
【００５４】
また、本実施の形態に係るレンズ駆動装置１では、第１、第２駆動コイル２２，２３の本体の外径は、駆動マグネット１９の外径より大きいので、移動レンズ体１０が駆動マグネット１９と共に光軸Ｆ方向に移動しても、駆動マグネット１９と位置決め部材４０とが接触することはない。
【００５５】
移動レンズ体１０と、駆動マグネット１９と、第１、第２駆動コイル２２，２３と、第１、第２磁性体３２，３３と、位置決め部材４０とを収納するケース体となる支持体５０は、それぞれ有底筒形状を主体とする後側の第１ケース分割体６０と前側の第２ケース分割体７０とからなる。第１、第２ケース分割体６０，７０は、図１に示すように、それぞれの円筒状の開口突出部６０ａ，７０ａが互いに係合するように接合されている。なお、本実施の形態に係るレンズ駆動装置１では、支持体５０を２つに分割してあるが、３つ以上に分割しても良い。
【００５６】
第１ケース分割体６０は、図１，図９および図１０に示すように、筒の後側に内側張出部６１と外側張出部６２が設けられた形状をしている。内側張出部６１は、中央側のリング状の低段部６１ａと、外周側のリング状の高段部６１ｂから構成されている。内側張出部６１の高段部６１ｂには、位置決め部材４０の張出部４２を嵌合する円形状の溝６４が形成されている。溝６４は、位置決め部材４０の外壁と第１ケース分割体６０の内壁とが接するような位置に形成されている。さらに、図１に示すように、第１ケース分割体６０の内壁面には、巻線端末２５，２６と連結線２４をそれぞれ配置するための溝６６，６７が、また、第１ケース分割体６０の開口突出部６０ａには、第１、第２駆動コイル２２，２３のそれぞれ本体から引き出された巻線端末２５，２６が通過するための切欠部６８が形成されている。
【００５７】
すなわち、第１駆動コイル２２の本体から引き出された巻線端末２５は、第１磁性体３２と位置決め部材４０との間の隙間から、またスリット４８が存在する場合には位置決め部材４０のスリット４８から位置決め部材４０の外周に引き出され、位置決め部材４０の外壁と第１ケース分割体６０の内壁との間の溝６６を経由し、第１ケース分割体６０の切欠部６８を通過して第１ケース分割体６０の外部に延伸している。外部に延伸した巻線端末２５は、第１ケース分割体６０の外周に設けられた導線保護部６９に囲まれた孔を通過して、後述する回路基板８４上の給電端子８６に接続されている。
【００５８】
図１１および図１２に示すように、第１磁性体３２の突出部３４の間の外壁３２ｃと位置決め部材４０の内壁４０ａとの間に、光軸Ｆを中心とした径方向の隙間４１が形成され、第１駆動コイル２２の巻線端末２５が、隙間４１を通過して位置決め部材４０の外側に延伸されている。この構成によれば、隙間４１を広範囲にわたって形成できるため、巻線端末２５を通過させる位置の自由度を増すことができる。
【００５９】
第１ケース分割体６０の低段部６１ａの上面６１ｃは、レンズホルダ１６が突き当たるホルダ基準面とされている。また、高段部６１ｂの上面６１ｄは、第１磁性体３２が当接するヨーク挟持面とされている。さらに、内側張出部６１の下面６１ｅは、後述する撮像素子８２を含む撮像素子ユニット８０の高さ方向の基準面とされている。
【００６０】
第２ケース分割体７０は、図１，図１３，図１４および図１５に示すように、レンズ窓７３となる孔部が形成された底部７１が前側となる有底筒形状をしている。底部７１には、位置決め部材４０の張出部４４を嵌合する円形状の溝７４が形成されている。溝７４は、位置決め部材４０の外壁と第２ケース分割体７０の内壁とが接するような位置に形成されている。さらに、図１に示すように、第２ケース分割体７０の内壁面には、巻線端末２６を配置するための溝７６が形成されている。溝７４と溝７６は、図１４に示すように、一体的に設けられると共に、溝７６が溝７４の外周の一部を形成している。        
【００６１】
溝７６と光軸Ｆを中心とした対称位置に、連結線２４を収納するための溝７７が設けられている。溝７７は、溝６７に対応する位置に配置され、溝７４と一体的に設けられる。第２ケース分割体７０の中央下端面には、わずかに突出した移動レンズ体１０の上端の突起部２０が突き当たる上端基準面７１ａが設けられている。
【００６２】
第２駆動コイル２３の本体から引き出された巻線端末２６は、第２磁性体３３のスリット３５、第２磁性体３３の隣接する突出部３４の間、位置決め部材４０の隣接する前側の張出部４４の間、位置決め部材４０の外壁と第２ケース分割体７０の内壁との間の溝７６を経由し、第１ケース分割体６０の切欠部６８を通過して第２ケース分割体７０の外部に延伸している。外部に延伸した第２駆動コイル２３の巻線端末２６は、第１駆動コイル２２の巻線端末２５と同様に、導線保護部６９に囲まれた孔を通過して、後述する回路基板８４上の巻線端末２５が接続されている給電端子８６とは別の給電端子８８に接続されている。
【００６３】
また、図１に示すように、第１、第２駆動コイル２２，２３の本体同士をつないでいる連結線２４は、第１駆動コイル２２、第１磁性体３２のスリット３５、第１磁性体３２の隣接する突出部３４の間、位置決め部材４０の隣接する後側の張出部４２の間、位置決め部材４０の外周と第１ケース分割体６０の内壁との間の溝６７、第２磁性体３３の隣接する突出部３４の間、位置決め部材４０の隣接する前側の張出部４４の間、第２駆動コイル２３の本体の外壁と位置決め部材４０の内壁の間を経由し、第２駆動コイル２３の本体につながっている。
【００６４】
このように、移動レンズ体１０に保持された駆動マグネット１９の移動空間には、第１、第２駆動コイル２２，２３の巻線端末２５，２６や第１、第２駆動コイル２２，２３の本体同士をつないでいる連結線２４が存在しないので、駆動マグネット１９と巻線端末２５，２６や連結線２４とが絡み合うことがない。
【００６５】
レンズ駆動装置１の光軸Ｆに沿った後側には、撮像素子ユニット８０が配置されている。撮像素子ユニット８０は、フィルタ８１、撮像素子８２および回路基板８４等を有する。フィルタ８１は、撮像素子８２の検出波長に対応させて所定の波長の光をカットするためのものである。撮像素子８２は、ＣＭＯＳ(Complementary Metal Oxide Semiconductor)で構成されており、その検知信号を回路基板８４へ送る。検知信号となる画像信号は、回路基板８４上の画像信号端子から図示されないマイクロコンピュータ等で構成されている制御部へ送られる。なお、撮像素子８２としては、ＣＭＯＳ以外にＣＣＤやＶＭＩＳ等を採用することができる。
【００６６】
また、回路基板８４には、上述のように第１、第２駆動コイル２２，２３に給電するための給電端子８６，８８も設けられており、画像信号伝達用の回路基板８４と給電端子８６，８８を形成する基板とを兼用することで部品数の削減を図っている。なお、巻線端末２５，２６をツイスト（ねじり巻き）させたり、らせん状にして導線保護部６９内を通過させることで断線のおそれを減少させることができる。また、回路基板８４上に給電端子８６，８８を設けず、第１、第２駆動コイル２２，２３の巻線端末２５，２６のうち導線保護部６９を通過している部分をねじり巻いたり、らせん状等にして導線保護部６９内に接着剤等で固定して、それから先は、金属端子を利用して接続しても良い。この構成によれば、巻線端末２５，２６を回路基板８４に固定しなくても断線するおそれがほとんどない。
【００６７】
次に、第１の実施の形態に係るレンズ駆動装置１の組み立て方法について図２を用いて説明する
【００６８】
まず、円柱形状の巻回治具を２つ並べ、巻線端末２６側から第２駆動コイル２３を形成して行く。すなわち、第２駆動コイル２３の内側から巻回していく。そして、図２（ａ）に示すように、時計方向に巻いていき、第２駆動コイル２３の形成が終了したら、その最外周から連結線２４を引き伸ばし、次に第１駆動コイル２２を形成する。第１駆動コイル２２は、内側から外側に向けて巻回していき、その最外周から巻線端末２５を引き出す。第１、第２駆動コイル２２，２３が所定の巻数となるように巻回し、第１、第２駆動コイル２２，２３を作成したら、巻回治具を外す（図２（ａ）（ｂ））。
【００６９】
その後、第１駆動コイル２２の本体を第１磁性体３２に、第２駆動コイル２３の本体を第２磁性体３３にそれぞれ接着剤等で固着する（図２（ｃ））。この際、第１、第２駆動コイル２２，２３の本体同士をつなぐ連結線２４は第１磁性体３２に設けられたスリット３５を通過させ、第２駆動コイル２３から引き出された巻線端末２６は第２磁性体３３に設けられたスリット３５を通過させている。
【００７０】
そして、第１ケース分割体６０の中に、第１磁性体３２に固着された第１駆動コイル２２を配置する。この際、第１、第２駆動コイル２２，２３の本体同士をつないでいる連結線２４が第１ケース分割体６０の内壁の溝６７に配置され、第１駆動コイル２２の本体から引き出された巻線端末２５が第１ケース分割体６０の内壁の溝６６に配置されるようにする。
【００７１】
次いで、位置決め部材４０を、第１ケース分割体６０の溝６４に嵌め込む。この際、位置決め部材４０の後側の張出部４２は、第１磁性体３２の隣接している突出部３４の間に配置されるようにする。その後、駆動マグネット１９を保持した移動レンズ体１０を、第２レンズ保持部材１５が第１ケース分割体６０の内側張出部６１の低段部６１ａの上面６１ｃに当接するように、第１ケース分割体６０内に挿入する。
【００７２】
そして、第２磁性体３３に固着された第２駆動コイル２３を第１駆動コイル２２と同じ巻回方向になるように位置決め部材４０の内側に配置する。この際、第２磁性体３３の突出部３４が位置決め部材４０の隣接している前側の張出部４４の間に位置するようにする。さらに、第１、第２駆動コイル２２，２３の本体同士をつないでいる連結線２４が位置決め部材４０の端面をまたぎ、また、第２駆動コイル２３から引き出された巻線端末２６が第１ケース分割体６０の切欠部６８をそれぞれ通過するように配置する。
【００７３】
その後、第２ケース分割体７０を、第２ケース分割体７０の開口突出部７０ａと第１ケース分割体６０の開口突出部６０ａとが係合するように、第１ケース分割体６０に嵌め込む。この際、第２ケース分割体７０の底部７１の大径内壁７１ｂが移動レンズ体１０の第１レンズ保持部材１４の外周に当接するように、また、第２ケース分割体７０の溝７４が位置決め部材４０の前側の張出部４４に嵌合するように配置される。第２ケース分割体７０の内壁の溝７６および図１５で示すその下方のスペース７８が、第２駆動コイル２３から引き出された巻線端末２６の収納スペースとなるように配置する。この時点では、第１、第２ケース分割体６０，７０同士は仮固定となっている。
【００７４】
次に、上述の組立工程にて組み立てられた移動レンズ体１０や駆動機構等が組み込まれている支持体５０に、撮像素子ユニット８０を嵌め込む。この際、図１に示したように、第１ケース分割体６０の外側張出部６２と一体のユニット寸法保持部６５の内壁６５ａと撮像素子ユニットの外壁８０ａとが係合するように行う。この時点では、第１ケース分割体６０と撮像素子ユニットとは仮固定となっている。
【００７５】
その後、第１、第２駆動コイル２２，２３に通電して移動レンズ体１０を通常撮影位置に移動した状態で、支持体５０または撮像素子ユニット８０のいずれか一方を光軸Ｆ方向に移動しながら、通常撮影画像が最適となる位置で第１ケース分割体６０と撮像素子ユニット８０とをレーザ溶接や接着等で本固定する。
【００７６】
そして、第１、第２駆動コイル２２，２３に通電して移動レンズ体１０をマクロ撮影位置に移動した状態で、第１ケース分割体６０または第２ケース分割体７０のいずれか一方を光軸Ｆ方向に移動しながら、マクロ撮影画像が最適となる位置で第１ケース分割体６０と第２ケース分割体７０とをレーザ溶接や接着等で本固定する。
【００７７】
その後、第１、第２駆動コイル２２，２３から引き出された巻線端末２５，２６を第１ケース分割体６０の外周の導線保護部６９に通過させて、回路基板８４上の給電端子８６，８８にそれぞれ接続する。
【００７８】
次に、図１６を参照しながら、このレンズ駆動装置１を含むカメラ９０のシステム構成を説明する。
【００７９】
このカメラ９０は、レンズ１２を有する移動レンズ体１０を駆動して切り換え動作を実現するドライバ９１と、撮像素子８２から得られる画像信号を処理するＩＳＰ（Image Signal Processor）９２と、画像データを保存するストレージデバイス９３と、コントロールロジック部９４と、電子処理をするための画像を一時保管する単数または複数のメモリ９５と、光学画像や電子処理された電子画像を表示する表示手段９６と、これらの各部材をコントロールするシステムコントローラとしてのＭＰＵ（Micro Processing Unit）９７とを有している。
【００８０】
ここで、レンズ駆動装置１に相当するカメラモジュールは、レンズ１２を有する移動レンズ体１０等からなるレンズ駆動装置１のメカ部分と、撮像素子８２と、ドライバ９１と、ＩＳＰ９２とから構成される。撮像素子８２とドライバ９１とＩＳＰ９２とは回路基板８４に設置される。コントロールロジック部９４とＭＰＵ９７とで制御部が構成される。撮像素子８２とＩＳＰ９２と制御部とで、画像取得手段が構成される。ＭＰＵ９７は、切り換え指令を読み取る切り換え指令読取手段となり、レンズ１２の操作位置を確認する操作位置確認手段となり、また、レンズ１２の位置を検出する現在位置検出手段ともなる。
【００８１】
なお、レンズ１２の位置、すなわち移動レンズ体１０の位置を検出するセンサを設けることで、そのセンサが現在位置検出手段の一部を構成するようにしても良いが、特別なセンサを設けず、第１、第２駆動コイル２２，２３をセンサとして使用するようにしても良い。その場合、第１、第２駆動コイル２２，２３が現在位置検出手段の一部を構成することとなる。
【００８２】
また、コントロールロジック部９４は、ＭＰＵ９７の内部に組み込むようにしても良い。また、表示手段９６は、液晶からなる表示素子とその表示素子を駆動する表示ドライバとからなる。表示ドライバは、回路基板８４内に配置するようにしても良い。なお、表示素子は、ＬＥＤ（Light Emitting Diode）やＥＬ（Electro Luminescence）としたり、その他の表示素子としても良い。また、メモリ９５を図１６に示すように複数設けると、一時的に保存した画像を利用して、よりスムーズな電子処理（デジタル処理）を行ってデジタルズーム（徐々に画像が拡大したり縮小したりするズーミング）を実行したり、複数の異なる解像度の画像を合成することができる。
【００８３】
このようなカメラ９０を携帯電話などの携帯機器に組み込む。この携帯機器は、接着剤の使用が減少し、気化ガスや糸引きでレンズが汚濁する現象が少なくなるため、得られる画像の品質を高いものに維持できる。また、接着剤の使用が減少しているため、落下衝撃での接着部の剥離が少なくなり、接着による寸法不安定化が減少し、動作不良や動作量不足の問題が減少する。
【００８４】
次に、レンズ駆動装置１における移動レンズ体１０の光軸Ｆ方向の移動の仕組みについて説明する。
【００８５】
図１に示す状態では、駆動マグネット１９が移動レンズ体１０と共に後側に移動し、第１、第２駆動コイル２２，２３に通電されなくても、駆動マグネット１９と第１磁性体３２との間に生じる磁気吸引力によって通常撮影位置に保持されている。このとき、図１に示すように、第１駆動コイル２２と駆動マグネット１９との間にわずかな隙間が生じている。これは第１駆動コイル２２と駆動マグネット１９とが衝突すると、いずれか一方または両者が損傷してしまうためであり、その衝突を防止しているのである。
【００８６】
図１に示す状態において、図示されない所定のマクロ切り換えスイッチが操作されると、第１、第２駆動コイル２２，２３に通電され、電流の向きと駆動マグネット１９による磁界の向きとによって、フレミングの左手の法則により駆動マグネット１９を前方に押し出す向きの力が働き、駆動マグネット１９と共に移動レンズ体１０が前方に進出し、移動レンズ体１０がマクロ撮影位置となる。なお、フレミングの左手の法則は、磁界中に線電流が流れているときに、その線電流を流している物体に働く力の関係を示すものであるが、この実施の形態では、第１、第２駆動コイル２２，２３が共に固定されているため反作用として駆動マグネット１９に力が働くこととなる。
【００８７】
マクロ撮影位置における移動レンズ体１０は、第１、第２駆動コイル２２，２３が通電されなくても、駆動マグネット１９と第２磁性体３３との間に生じる磁気吸引力によって保持される。このとき、第２駆動コイル２３と駆動マグネット１９との間にはわずかな隙間を発生させている。これは第２駆動コイル２３と駆動マグネット１９とが衝突し、それらが損傷することを防止するためである。
【００８８】
前方への移動の際に生ずる電磁力は、第１駆動コイル２２への通電では駆動マグネット１９を前側に押し出す向きに発生させ、第２駆動コイル２３への通電では駆動マグネット１９を前側に引き寄せる向きに発生させる。なお、本実施の形態に係るレンズ駆動装置１では、第１、第２駆動コイル２２，２３が連結線２４でつながっているが、第１、第２駆動コイル２２，２３のそれぞれに独立して給電するような構成にして、移動レンズ体１０を光軸Ｆ方向の移動する際には、第１、第２駆動コイル２２，２３のいずれか一方に通電するようにしても良い。
【００８９】
移動レンズ体１０をマクロ撮影位置から通常撮影位置に切り換えるには、切り換えスイッチを通常撮影位置に切り換える。この切り換えによって、第１、第２駆動コイル２２，２３に逆向きに通電され、この電流の向きと駆動マグネット１９による磁界の向きとによって、フレミングの左手の法則により駆動マグネット１９を後方に引き戻す向きの力が働き、駆動マグネット１９と共に移動レンズ体１０が後退して、図１に示す通常撮影位置となる。
【００９０】
本実施の形態のレンズ駆動装置１は、第１、第２駆動コイル２２，２３（第１、第２磁性体３２，３３）と支持体５０とが接着剤固定ではなく、位置決め部材４０で位置決めされているため、第１、第２駆動コイル２２，２３の間隔が正確となる。位置決め部材４０がシート材のプレス品であるため低コストで高精度にコイル間隔を確保できる。
【００９１】
第１、第２磁性体３２，３３の外周の一部に突出部３４を設けたため、第１、第２ケース分割体６０，７０の内壁と、突出部３４以外の部分との間に隙間ができ巻線端末２５，２６や連結線２４の引き回しが可能となる。また、突出部３４が第１、第２ケース分割体６０，７０の内壁に突き当るので、第１、第２磁性体３２，３３等の内部に生ずる駆動空間が安定したものとなる。
【００９２】
以上に説明した実施の形態は、本発明の好適な例であるが、本発明の要旨を逸脱しない範囲で種々変更実施可能である。たとえば、本発明は、撮影位置を３箇所、たとえば、テレ，ワイド，マクロや４箇所以上で切り換えるレンズ駆動装置にも適用可能である。テレ，マクロ，ワイドを切り換える場合としては、図１７（Ａ）（Ｂ）に示すように、１−２相通電を利用して移動レンズ体１０をマクロ撮影位置と通常撮影位置との中間で停止させる。すなわち、停止させたい位置における駆動マグネット１９の周辺であって、位置決め部材４０の内壁面にゴム製等の磁性体シート１００または金属部材を貼着またはインサートすれば良い。ゴムマグネット１１０をインサートした例を図１８（Ａ）（Ｂ）に示す。
【００９３】
また、本発明は、マクロ撮影位置と通常撮影位置とを切り替えるレンズ駆動装置に限らず、２つのレンズを駆動モータ等で独立に駆動するズーム撮影機能を有するレンズ駆動装置にも適用することもできる。
【００９４】
また、本実施の形態では、可動側に駆動マグネット１９を、固定側に第１、第２駆動コイル２２，２３を配置したムービングマグネット型の構成となっているが、これに代えて、可動側に駆動コイルを、固定側に駆動マグネットを配置したムービングコイル型の構成、すなわち、一方の駆動部材が駆動コイルを、他方の駆動部材が２つの駆動マグネットをそれぞれ有している構成としても良い。
【００９５】
ムービングコイル型レンズ駆動装置は、たとえば次の構成を採用することができる。レンズを有する移動レンズ体は、レンズの光軸方向に移動可能な駆動コイルと磁性体を備え、支持体の内部には、上記駆動コイルを挟んでレンズの光軸方向に配置された第１駆動マグネットおよび第２駆動マグネットを備えると共に、上記駆動マグネットと磁気回路を構成し、駆動コイルへの通電を停止したときに第１駆動マグネットと第２駆動マグネットの一方と磁性体との磁気吸着により移動体を所定の位置に保持し、駆動コイルへの通電によって移動レンズ体を第１駆動マグネットと第２駆動マグネットとの間で移動させる。
【００９６】
本実施の形態では、第１、第２駆動コイル２２，２３は、図２に示すように、互いに逆方向に巻いているが、同方向に巻いて形成した駆動コイルの一方を１８０°回転（コイルの上面と下面を反転）させてから上下方向に重ねるように配置しても良い。
【００９７】
また、上述の実施の形態では、レンズ駆動装置１をカメラ付き携帯電話のカメラ部分の機能として組み込んだ例を示したが、これらのレンズ駆動装置や薄型カメラは、モバイルコンピュータ、ＰＤＡ等の他の携帯機器に使用したり、監視カメラ、医療用カメラ等他のカメラ装置や、自動車、テレビ等の電子機器にも組み込むことができる。
【産業上の利用可能性】
【００９８】
本発明は、カメラ装置に応用できる。また、カメラ機能を有する携帯電話等の携帯機器に適用できる。さらには、レンズの位置切り換え機構を備えている電子機器であれば、すべての電子機器に組み込むことが可能である。
【図面の簡単な説明】
【００９９】
【図１】本発明の実施の形態に係るレンズ駆動装置を示す断面図である。
【図２】本発明の実施の形態に係るレンズ駆動装置の第１、第２駆動コイルを示す図で、（ａ）は両コイルの平面図、（ｂ）は両コイルの側面断面図、（ｃ）は両コイルが第１、第２磁性体に固着された状態の側面断面図である。
【図３】本発明の実施の形態に係るレンズ駆動装置の駆動マグネットを示す平面図である。
【図４】本発明の実施の形態に係るレンズ駆動装置の磁性体を示す平面図である。
【図５】本発明の実施の形態に係るレンズ駆動装置の駆動コイルと磁性体との固着面付近を示す拡大断面模式図である。
【図６】本発明の実施の形態に係るレンズ駆動装置の位置決め部材の平面展開図である。
【図７】本発明の実施の形態に係るレンズ駆動装置の第１、第２磁性体と位置決め部材との配置関係を示す外観模式図である。
【図８】図７の上部を斜めから見た図を模式的に現した要部斜視図である。
【図９】本発明の実施の形態に係るレンズ駆動装置の第１ケース分割体の平面図である。
【図１０】図９のＡ−Ｏ−Ｂ線断面図である。
【図１１】本発明の実施の形態に係るレンズ駆動装置の第１ケース分割体に第１磁性体（第１駆動コイルは固着されていない）と位置決め部材を組み込んだ状態で、第１ケース分割体の最前面で切断した断面図である。
【図１２】図１１のＡ−Ｏ−Ｂ線断面図で、第１駆動コイルを第１磁性体に固着した状態のものである。
【図１３】本発明の実施の形態に係るレンズ駆動装置の第２ケース分割体の断面図で図１２のＡ−Ｂ線断面図である。
【図１４】図１３の矢示Ｘ方向から見た図で、一部を省略して示す図である。
【図１５】本発明の実施の形態に係るレンズ駆動装置の第２ケース分割体の部分拡大図である。
【図１６】図１のレンズ駆動装置を含むカメラのシステム構成を示すブロック図である。
【図１７】本発明の他の実施の形態に係るレンズ駆動装置の第１、第２駆動コイル周辺部を示す模式図と第１、第２駆動コイルの通電方向を示す模式図で、（Ａ）はテレ，マクロ，ワイドの３箇所の位置で停止する状態を示す図、（Ｂ）は第１、第２駆動コイルの通電方向を示す図である。
【図１８】本発明の他の実施の形態に係るレンズ駆動装置の位置決め部材にゴムマグネットシートをインサートした状態を示す図で、（Ａ）は平面展開図、（Ｂ）は断面図である。
【符号の説明】
【０１００】
１  レンズ駆動装置
１０  移動レンズ体
１２  レンズ
１６  レンズホルダ
１９  駆動マグネット
２２  第１駆動コイル
２３  第２駆動コイル
２４  連結線
２５  第１駆動コイルの巻線端末
２６  第２駆動コイルの巻線端末
３２  第１磁性体
３６  第２磁性体
４０  位置決め部材
５０  支持体
６０  第１ケース分割体
７０  第２ケース分割体
８０  撮像素子ユニット
８１  フィルタ
８２  撮像素子
８４  回路基板
【図１】
2005128362.tif 000003
【図２】
2005128362.tif 000004
【図３】
2005128362.tif 000005
【図４】
2005128362.tif 000006
【図５】
2005128362.tif 000007
【図６】
2005128362.tif 000008
【図７】
2005128362.tif 000009
【図８】
2005128362.tif 000010
【図９】
2005128362.tif 000011
【図１０】
2005128362.tif 000012
【図１１】
2005128362.tif 000013
【図１２】
2005128362.tif 000014
【図１３】
2005128362.tif 000015
【図１４】
2005128362.tif 000016
【図１５】
2005128362.tif 000017
【図１６】
2005128362.tif 000018
【図１７】
2005128362.tif 000019
【図１８】
2005128362.tif 000020